(57)【要約】【課題】  健康用および、痛みや痒みの軽減用に用いることができるローラー器具を提供する。このローラー器具は人体組織表面の電磁波を均質化することで正常化する。【解決手段】  不純物ドープにより導電性を有する、ＳｉxＧｅ1-x（０．５＜Ｘ＜１）結晶からなる円柱形状のローラー部１と、前記ローラー部１の両端面に貼付されたシューマンチップ２１、２２とを備え、一方の端面に貼付されたシューマンチップ２１と、他方の端面に貼付されたシューマンチップ２２とが軸心を中心に異なる位相をなすように貼付されていることを特徴とするローラー器具１０１。【選択図】  図１
2016137062.tif 000002
【特許請求の範囲】
【請求項１】
不純物ドープにより導電性を有する、ＳｉxＧｅ1-x（０．５＜Ｘ＜１）結晶からなる円柱形状のローラー部と、
前記ローラー部の両端面に貼付されたシューマンチップとを備え、
一方の端面に貼付されたシューマンチップと、他方の端面に貼付されたシューマンチップとが軸心を中心に異なる位相をなすように貼付されていることを特徴とするローラー器具。
【請求項２】
請求項１記載のローラー器具において、一方の端面に貼付されたシューマンチップと、他方の端面に貼付されたシューマンチップとが軸心を中心に互いに１８０°の位相をなすように貼付されていることを特徴とするローラー器具。
【請求項３】
請求項１または２に記載のローラー器具を用いたマッサージ方法。
【発明の詳細な説明】
【技術分野】
【０００１】
本発明は、ローラー器具に関する。このローラー器具を用いることで、皮膚周辺の痛みや痒みを取り除くことができる。
【背景技術】
【０００２】
近年、人は様々な電気製品から生じる電磁波にさらされており、これらの電磁波は本来、自然界に存在するものではないことから、その影響を受け体調の不良を感じる場合がある。また、人は、病気やけが等により体の様々な部位に痛みや痒みを感じることがあるが、その痛みや痒みを速やかに和らげる方法、あるいは未然に防止するためのいわゆる健康法が様々な視点から提案されてきた。
【０００３】
健康用に用いられるローラーとして、例えば特許文献１には、ローラー部分を小さく３個以上に分割し、さらにそのローラーの外周部と中心部の軸との間に弾力性のある樹脂を渦巻状に内蔵させて、各ローラー全てが身体の凹凸に合わせて伸縮し常に身体に密着し均一な力が加わる様なローラーが開示されており、これによって一般家庭やスポーツ施設で筋肉のこりを解したり血行促進、健康維持の為に使用することが開示されている。
また特許文献２には、中空の棒状体であって、内部に遠赤外線放射効率の良い石を収容し、一端に貫通孔を設けた把持部と、一端に設けられた一対の軸受と、軸受に回転可能に取り付けられた筒状体とすることで、遠赤外線が効率よく体内に吸収され、血行を良くする等の人体等に良い効果をあげる健康ローラーが開示されている。
【先行技術文献】
【特許文献】
【０００４】
【特許文献１】特開平１０−１３７３０６号公報
【特許文献２】実開平７−２２７３４号公報
【発明の概要】
【発明が解決しようとする課題】
【０００５】
本発明は、特許文献１に開示されるような形状的特徴による健康ローラーや、特許文献２に開示されるような遠赤外線を用いた健康ローラー等の従来技術とは異なる技術により、健康用や、痛みや痒みを和らげるために用いられるローラー器具を提供することを目的とする。すなわち、本発明は、痛みや痒みの原因の一つとして、人体組織表面の電位分布に異常が生じていることに着目し、この電位分布を正常な電位に均質化することで、痛みや痒みを和らげたり、予防的な健康用に用いられるローラー器具を提供するものである。
【課題を解決するための手段】
【０００６】
本発明者は、上記課題を解決すべく鋭意研究を重ねた結果、下記の発明が上記目的に合致することを見出し、本発明に至った。
【０００７】
すなわち、本発明は、不純物ドープにより導電性を有する、ＳｉxＧｅ1-x（０．５＜Ｘ＜１）結晶からなる円柱形状のローラー部と、前記ローラー部の両端面に貼付されたシューマンチップとを備え、一方の端面に貼付されたシューマンチップと、他方の端面に貼付されたシューマンチップとが軸心を中心に異なる位相をなすように貼付されていることを特徴とするローラー器具に係るものである。このローラー器具は、ローラー部の両端面に貼付されたシューマンチップにより、ローラー部を人体組織表面で転がすように接触させることで、人体組織表面の電位分布を均質化し、慢性、急性を問わず、筋肉痛、神経痛、内臓疾患を起因とする痛み（例えば肩こり等）や、アレルギー性の痒み等を緩和するものである。特に人の皮膚付近に感じる痛みや痒みの低減に有効である。また、シューマン波の均質照射により、人体組織のリズムが正常化するため、健康用としても使用することができるローラー器具である。また、このローラー器具を用いた、マッサージ方法とすることができる。
【０００８】
本発明のローラー器具は、不純物ドープにより導電性を有するＳｉxＧｅ1-x（０．５＜Ｘ＜１）結晶からなる円柱形状のローラー部を備える。このＳｉxＧｅ1-x（０．５＜Ｘ＜１）結晶は、いわゆるシリコン―ゲルマニウム結晶であり、これに不純物をドープすることで、導電性を有する半導体の結晶となる。この結晶にドープされる不純物は、シリコン―ゲルマニウム結晶に導電性を付与することができる不純物であればよいが、代表的なものとして、Ｂ（ホウ素）、Ｐ（リン）が挙げられる。この不純物ドープによる導電性を有することで、本発明のローラー器具は、それに貼付されるシューマンチップによる電位の均質化を効率よく行うことができる。ここで、本発明のローラー部の導電性は、本発明のローラー器具に用いられるシューマンチップにより正常化される電磁波を均質に伝達するために必要な導電性であればよく、具体的には、１０-3〜１０００Ω・ｃｍ程度の導電性が求められる。なお、以下、不純物ドープにより導電性を有するＳｉxＧｅ1-x（０．５＜Ｘ＜１）結晶を、単に「本発明のシリコン―ゲルマニウム結晶」と略記する場合がある。
【０００９】
また、本発明のローラー器具のローラー部には、前述の本発明のシリコン−ゲルマニウム結晶を、円柱状にしたものを用いる。この本発明のシリコン−ゲルマニウム結晶は、引き上げ法や、帯溶融（ゾーンメルト法）、シーメンス法、流動床法、冶金法、亜鉛還元法、水ガラス法、チューブ炉法、溶融析出法等により円柱状に製造することができる。このローラー部の円柱は、ローラー器具として使用することができればその形状は問わないが、人体への接触の効率や、使用しやすさから、例えば直径１０ｍｍ〜１０１ｍｍ、幅３０ｍｍ〜３００ｍｍ程度とすることができる。また、このローラー部は、適宜、鏡面研磨等の半導体の表面処理に行われる処理を行って使用してもよい。このようなローラー部を有するローラー器具とすることで、人体組織表面への接触を効率よく行わせることができる。
【００１０】
本発明のローラー器具のローラー部には、その両端面にシューマンチップが貼付される。シューマンチップとは、様々な電磁波をいわゆるシューマン波と呼ばれるおよそ７．８Ｈｚの電磁波およびその共振周波数の電磁波（共振波）に変換するものである。具体的なシューマンチップの構成の代表例としては、シューマン波を記憶させたＩＣチップを、水晶と竹炭を練りこんだシリコン等に併せたものである。シューマン波およびその共振波は、地球の定常波であり、生物が調和する電磁波である。このシューマンチップを貼付したローラー器具はこのシューマン波およびその共振波に変換することで、人体の痛み、痒みを和らげる。
【００１１】
また、本発明のローラー器具のローラー部に貼付されるシューマンチップは、一方の端面に貼付されたシューマンチップと、他方の端面に貼付されたシューマンチップとがローラー部の軸心を中心に異なる位相をなすように貼付される。また、一方の端面に貼付されたシューマンチップと、他方の端面に貼付されたシューマンチップとがローラー部の軸心を中心に互いに１８０°の位相をなすように貼付されることが好ましい。これは、ローラー部の片端面のみにシューマンチップを貼付すると、人体に接触するローラー部からのシューマン波がローラー部の回転に併せて周期的に変化してしまい、定常的にシューマン波の状態とすることができない場合があるからである。このとき、両端面に貼付されるシューマンチップが両端中心に異なる位相をなすよう貼付されることで、定常的なシューマン波の状態を提供するローラー器具とすることができる。特に、軸心を中心に互いに１８０°の位相をなすように貼付したとき、シューマン波が定常的なものとなるため適している。この位相が異なるとは、軸心を中心に平面視したとき、一方の端面に貼付されたチップと他方のチップとが異なる平面上の位置にあることをさし、この場合、ローラーが回転するときに接触部とチップとの位置関係を示す位相が、チップ間で一致せずずれた状態であることをさす。特に、軸心を中心に反対方向に貼付することで１８０°の位相差をなすことができる。
【００１２】
本発明のローラー器具はローラー部を効率よく接触させるための構成とすることができる。すなわち、たとえば、ローラー部に把持部を設けて、転がしやすくするものである。具体的には、把持部としてローラー部の両端面の中央付近に回転可能に軸受を設けて両端面を固定するものを設けたり、片面側にのみ回転可能な軸受を設けて固定する把持部を取り付ける形状等があげられる。
【発明の効果】
【００１３】
本発明によれば、人体組織表面の電位分布の均質化により、痛みやかゆみが緩和される。また、シューマン波を効率よく均質に照射することができるため、人体組織のリズムが正常化する。
【図面の簡単な説明】
【００１４】
【図１】本発明に係るローラー器具の一例を示す斜視図である。
【図２】本発明に係るローラー器具の他の一例を示す斜視図である。
【発明を実施するための形態】
【００１５】
以下に図面を参照して、この発明の好適な実施の形態を例示的に説明する。以下に記載する実施の形態および構成要件の説明は、本発明の実施態様の一例（代表例）であり、本発明はその要旨を超えない限り、以下の内容に限定されない。
【００１６】
本発明のローラー器具の例を図１および２を用いて説明する。図１は、本発明のローラー器具の一例について、その全体構成に関する外観を示すものである。これは、不純物ドープにより導電性を有する、ＳｉxＧｅ1-x（０．５＜Ｘ＜１）結晶からなる円柱形状のローラー部１と、前記ローラー部の両端面に貼付されたシューマンチップ２１（およびシューマンチップ２２）とを備え、一方の端面に貼付されたシューマンチップ２１と、他方の端面に貼付されたシューマンチップ２２とがローラー部の軸心４０１を中心に互いに１８０°の位相をなすように貼付されたローラー器具１０１を示す図である。このローラー器具１０１においては、ローラー部１の両端面の中央付近に回転可能な軸受４を設け、この軸受部を固定した把持部３１を有しており、把持部３１には持ち手部３１１を備えることで、使用しやすい形状のローラー器具としたものである。
【００１７】
この図１に示すローラー器具１０１は、持ち手部３１１を持ち、ローラー部１の側面をヒトの皮膚に接触させながら転がすようにあてることで、接触させた部分を中心に、その停在電磁波を、ローラー器具１０１に貼付したシューマンチップによる調整によって、シューマン波により正常化させることができる。これによって、痛みや痒みを和らげることができる。
【００１８】
また、図２は、本発明のローラー器具の他の一例を示すものである。図２のローラー器具１０２は、導電性を有するシリコン−ゲルマニウム結晶からなる円柱形状のローラー部１と、前記ローラー部の両端面に貼付されたシューマンチップ２１（およびシューマンチップ２２）とを備え、一方の端面に貼付されたシューマンチップ２１と、他方の端面に貼付されたシューマンチップ２２とがローラー部の軸心４０１を中心に互いに１８０°の位相をなすように貼付されている。また、図２に示すローラー器具１０２においては、ローラー部１の片端面の中央付近に軸受４１を設け、この軸受４１は把持部３２の途中まで貫通させるように設けられており、把持部３２を持ち、ローラー器具として使用することができる。このローラー器具１０２も、前述のローラー器具１０１と同様にヒトの皮膚に接触させて使用することができ、これにより痛みや痒みを和らげることができる。
【実施例】
【００１９】
以下、実施例により本発明を更に詳細に説明するが、本発明は、その要旨を変更しない限り以下の実施例に限定されるものではない。
本発明のローラー器具を以下のシリコンゲルマニウム結晶等を用いて、図１に示す形状に製造し、そのローラー器具を用いることによる痛みや痒みの軽減効果を評価した。
【００２０】
［ローラー器具（１）の製造］
［ローラー部（１）の製造］
直径２５ｍｍ、長さ５０ｍｍのローラー部（１）を引き上げ法により製造した。
このローラー部（１）は、シリコン９０％：ゲルマニウム１０％の重量比で製造したものである。また、バフにより、鏡面研磨したものである。
【００２１】
［シューマンチップ（Ａ）］
シューマンチップ（Ａ）として、メモリ内にシューマン波の周波数情報をデジタル記憶させたシューマンチップ（コスミックエナジー社製）を用いた。このシューマンチップ（Ａ）のサイズは、縦１１ｍｍ×横１３ｍｍである。
【００２２】
［シューマンチップ（Ａ）の貼付］
前記ローラー部（１）の両端面に対角線上に位置するように、樹脂シールにより前記シューマンチップ（Ａ）を貼付した。このローラー部に対する取り付け位置は、ローラー部（１）の端面の中央付近から外周側に８ｍｍのところに、シューマンチップ（Ａ）の中心が位置するように貼付した。
【００２３】
［把持部の取り付け］
ローラー部（１）の両端面の中央に深さ２ｍｍの凹部を設け、この凹部を両端から押さえる形状の図１に示すような把持部を取り付けてローラー器具（１）を得た。ローラー器具（１）においては、この凹部を抑える部分が回転可能な軸受として機能する。
【００２４】
［被験者による実験］
年齢３９才から７５才の被検者１０名に本発明のローラー器具にて痛み低減効果を確認した。各被験者が、本発明のローラー器具（１）を、表１に示す痛みを感じる部位に３０分程度、ローラー部を接触させながら転がすように使用した結果を表１に示す。
【００２５】
【表１】
2016137062.tif 000003
【００２６】
［評価指標について］
Ｐａｉｎ  Ｓｃｏｒｅ:ローラー器具使用前の痛みを１０とした時、それがどの程度まで減少したかを被験者の主観で回答した値。
【００２７】
ＡＭＳＡＴ:ＡＭＳＡＴとは、「AutoMatic System for Analysis and Therapy」の略であり、全自動皮膚抵抗測定システムとも称され、額・両手・両足の計６極の電極から２２パターンの電流値を自動計測し、被験者の全身的な健康状態を表すための値である。この値は、アムサット（株式会社ウイスマー）を用いて測定した結果である。この値が、上昇するとき、改善効果が得られたことを確認することができる。
【００２８】
表１に示すように、全ての被検者でＰａｉｎ  Ｓｃｏｒｅの低減が確認され、また、ほとんどの被検者でＡＭＳＡＴの上昇（導電性の改善）が確認され、本発明のローラー器具により痛み低減等の効果が生じることが確認された。
【産業上の利用可能性】
【００２９】
本発明は、人体組織の表面付近い停在する電磁波を均質化することで、痛みや痒みの軽減を可能とするローラー器具に関し、痛みや痒みの軽減や、健康用として使用することができる。
【符号の説明】
【００３０】
１  ローラー部
１０１，１０２  ローラー器具
２１，２２  シューマンチップ
３１，３２  把持部
３１１  把持部の持ち手部
４，４１  軸受
４０１  軸心
【図１】
2016137062.tif 000004
【図２】
2016137062.tif 000005